(57)【要約】【課題】  台紙を容易に且つ強固に嵌め込み固定することのできるブリスターケースを提供する。【解決手段】  平板部２に凹状に形成された収納凹部３内に物品を入れ、収納凹部３を台紙７で覆蓋できるように構成したブリスターケース１において、平板部２の外周には、起立した立上片４が形成されて、この立上片４から内方へ向かって突出した複数の固定用凸部６，６，６が形成され、この固定用凸部６と平板部２間の隙間Ｍ内に台紙７を挟み込み状に固定できるように構成する。【選択図】  図５
2006282253.tif 000002
【特許請求の範囲】
【請求項１】
平板部に凹状に形成された収納凹部内に物品を入れ、該収納凹部を台紙で覆蓋できるように構成したブリスターケースにおいて、前記平板部の外周には、起立した立上片が形成されて、該立上片から内方へ向かって突出した複数の固定用凸部が形成され、該固定用凸部と前記平板部間の隙間内に前記台紙を挟み込み状に固定できるように構成したことを特徴とするブリスターケース。
【請求項２】
前記固定用凸部が間隔をおいて、それぞれ前記平板部と平行状に突出されていることを特徴とする請求項１に記載のブリスターケース。
【発明の詳細な説明】
【技術分野】
【０００１】
本発明は、ブリスターケースに関するものである。
【背景技術】
【０００２】
従来、ブリスターケースとして、特許文献１に開示されているような構造のものが存在し、図６に示すように、ブリスターケース５１には、物品を収納できる収納凹部５２が凹み状に形成され、左右両側縁には、裏側へ折り曲げ状にしてスライド用係合凹部５３，５３が形成されて、下端側にも折り曲げ状に下端係合凹部５４が形成されており、この左右のスライド用係合凹部５３，５３の上端側より台紙５５をスライドさせて差し込み、台紙５５の下端を下端係合凹部５４に差し込むことで、台紙５５により収納凹部５２を覆蓋できるように構成されている。
【特許文献１】特開２００５−０７５４６０号公報
【発明の開示】
【発明が解決しようとする課題】
【０００３】
従来のような、台紙５５をスライド用係合凹部５３，５３に差し込む形式のブリスターケース５１では、台紙５５のブリスターケース５１に対する固定状態が不安定であり、台紙５５がブリスターケース５１から抜け易く、また、ブリスターケース５１に対し台紙５５を装着させる作業も面倒であるという問題点があった。
【課題を解決するための手段】
【０００４】
本発明は上記従来の問題点に鑑み案出したものであって、台紙を容易に、且つ確実に固定させることのできるブリスターケースを提供するものであり、その請求項１は、平板部に凹状に形成された収納凹部内に物品を入れ、該収納凹部を台紙で覆蓋できるように構成したブリスターケースにおいて、前記平板部の外周には、起立した立上片が形成されて、該立上片から内方へ向かって突出した複数の固定用凸部が形成され、該固定用凸部と前記平板部間の隙間内に前記台紙を挟み込み状に固定できるように構成したことである。
【０００５】
また、請求項２は、前記固定用凸部が間隔をおいて、それぞれ前記平板部と平行状に突出されていることである。
【発明の効果】
【０００６】
本発明は、平板部に凹状に形成された収納凹部内に物品を入れ、収納凹部を台紙で覆蓋できるように構成したブリスターケースにおいて、平板部の外周には、起立した立上片が形成されて、立上片から内方へ向かって突出した複数の固定用凸部が形成され、固定用凸部と平板部間の隙間内に台紙を挟み込み状に固定できるように構成したことにより、ブリスターケースには、平板部の外周の立上片から内方へ突出して固定用凸部が一体形成されており、この複数の固定用凸部と平板部間の隙間内に台紙を強固に挟み込んで固定させることができ、台紙により確実に収納凹部を覆蓋することができ、また、台紙のブリスターケースへの装着もワンタッチで行えるものとなる。
【０００７】
また、固定用凸部が間隔をおいて、それぞれ平板部と平行状に突出されていることにより、間隔をおいて形成された複数の固定用凸部で確実に台紙を平板部に固定することができ、また、固定用凸部を平板部と平行状に容易に一体形成させることができるものとなる。
【実施例】
【０００８】
以下、本発明の実施例を図面に基づいて説明する。
図１は、ブリスターケースの斜視構成図であり、また図２は、ブリスターケースの平面構成図であり、図３は、ブリスターケースの側面構成図である。
【０００９】
図において、ブリスターケース１は、平板部２に一体状に凹ませて有底状の収納凹部３が形成されており、この収納凹部３内に物品を入れることができるものである。
平板部２の外周には、一体状に立上片４が９０°に立ち上げて立上形成されており、立上片４の先端には、外側へ９０°折り曲げて一体状に鍔片５が形成されている。
立上片４には、内方へ突出した複数の固定用凸部６が間隔をおいて一体形成されており、この固定用凸部６は、立上片４の外側から型を用いて押圧して、平板部２と平行状に内側へ向かって中空状に突出形成されたものであり、各固定用凸部６と平板部２間には、台紙７を挟み込み状に固定することのできる隙間Ｍが形成されている。
【００１０】
なお、本例では、ブリスターケース１の上辺部１ａ及び下辺部１ｄの中央部に、それぞれ１個の固定用凸部６，６が対向状に内側に向かって一体形成され、また、左側辺部１ｂ及び右側辺部１ｃには、それぞれ上下に間隔をおいて２個の固定用凸部６，６が対向状に内側へ向かって一体状に突出形成されている。
【００１１】
このようなブリスターケース１においては、収納凹部３内に物品を入れた後に、図４に示すように、台紙７を平板部２上に被せて、収納凹部３を台紙７で覆蓋させる際に、台紙７の外周部を、複数の固定用凸部６と平板部２間の隙間Ｍ内にパチンと嵌め込んで、強固に台紙７を平板部２に重合状に固定することができる。
【００１２】
台紙７の嵌め込み作業はワンタッチで行うことができるものとなり、台紙７を嵌め込んだ状態では、台紙７の外周側は、複数の固定用凸部６の底面と平板部２間に挟み込まれて、面接触で台紙７が平板部２に重合状態となり、台紙７はがたつくことなく強固に固定されることとなる。
従って、この状態では台紙７が抜け落ちることはなく、台紙７はブリスターケース１と強固に一体化されて、収納凹部３内の物品の抜脱を確実に防ぐことができるものとなる。
【００１３】
なお、固定用凸部６の個数は適宜変更が可能であり、固定用凸部６の数を増やすことで、より強固に台紙７を固定できるものとなる。
なお、固定用凸部６の平面形状は、半円形のものに限定されるものではなく、如何なる形状のものであっても良い。
【００１４】
また、固定用凸部６の底面を平板部２と平行な面に形成することにより、より台紙７に当接する面積を拡大させて強固に台紙７を挟み込むことができるものとなり、また、固定用凸部６は外側から金型を立上片４に押し付けて内側へ押し込むことで、容易に立上片４に一体形成させることができるものとなる。
【図面の簡単な説明】
【００１５】
【図１】ブリスターケースの斜視構成図である。
【図２】図１の平面構成図である。
【図３】図１の側面構成図である。
【図４】ブリスターケースに台紙を嵌め込む状態の斜視構成図である。
【図５】ブリスターケースに台紙を嵌め込んだ状態の要部断面拡大斜視図である。
【図６】従来のブリスターケースに台紙を嵌め込む状態の斜視構成図である。
【符号の説明】
【００１６】
１  ブリスターケース
１ａ  上辺部
１ｂ  左側辺部
１ｃ  右側辺部
１ｄ  下辺部
２  平板部
３  収納凹部
４  立上片
５  鍔片
６  固定用凸部
７  台紙
Ｍ  隙間
【図１】
2006282253.tif 000003
【図２】
2006282253.tif 000004
【図３】
2006282253.tif 000005
【図４】
2006282253.tif 000006
【図５】
2006282253.tif 000007
【図６】
2006282253.tif 000008